(57)【要約】【課題】表示面に表示された動画像に対して指示体により操作を行う場合の操作性を向上させる。【解決手段】動画像データに基づく動画像をスクリーンＳＣに表示させる表示部２１０と、スクリーンＳＣに対する指示体７０の操作を検出する指示体検出部２４０と、指示体検出部２４０によりスクリーンＳＣに対する指示体７０の操作が検出された場合に、スクリーンＳＣに表示される動画像を停止させて静止画像をスクリーンＳＣに表示させる停止制御部２７５と、を備えることを特徴とするプロジェクター２００。【選択図】図２
2018022013.tif 000002
【特許請求の範囲】
【請求項１】
動画像データに基づく動画像を表示面に表示させる表示部と、
前記表示面に対する指示体の操作を検出する操作検出部と、
前記操作検出部により前記指示体の操作が検出された場合に、前記表示部が表示する前記動画像の表示状態を静止させる制御部と、
を備えることを特徴とする表示装置。
【請求項２】
前記制御部は、前記表示部が前記動画像データに基づいて前記動画像を表示する状態で、前記操作検出部により前記指示体の操作が検出された場合に、前記動画像の表示状態を静止させて静止画像を前記表示部に表示させる、ことを特徴とする請求項１記載の表示装置。
【請求項３】
前記制御部は、前記操作検出部により前記指示体の操作が検出された場合に、前記表示部により表示中の前記動画像の静止画像を生成し、生成した前記静止画像を前記表示部により表示させる、ことを特徴とする請求項２記載の表示装置。
【請求項４】
前記表示装置に前記動画像データを供給する外部の装置と通信を行うインターフェース部を備え、
前記制御部は、前記操作検出部により前記指示体の操作が検出された場合に、前記動画像データの表示状態を静止させる指示を前記インターフェース部により送信する、ことを特徴とする請求項１から３のいずれかに記載の表示装置。
【請求項５】
前記制御部は、前記外部の装置から、前記動画像データの表示状態を静止させる前記指示に対する応答が前記インターフェース部により受信されない場合に、前記表示部により表示中の前記動画像の静止画像を生成し、生成した前記静止画像を前記表示部により表示させる、ことを特徴とする請求項４記載の表示装置。
【請求項６】
前記制御部は、前記操作検出部により検出される前記指示体の操作に基づいて描画画像を生成し、生成した前記描画画像を前記表示部により表示させる、ことを特徴とする請求項１から５のいずれかに記載の表示装置。
【請求項７】
前記表示面には前記指示体の操作を検出する検出領域が設定され、
前記制御部は、前記操作検出部により検出される前記検出領域での前記指示体の操作に基づいて描画画像を生成し、生成した前記描画画像を前記表示部により表示させる、ことを特徴とする請求項６に記載の表示装置。
【請求項８】
前記制御部は、前記操作検出部により検出される前記指示体の操作位置に基づき、前記動画像の表示状態を静止させるか否かを判定する、ことを特徴とする請求項１から７のいずれかに記載の表示装置。
【請求項９】
前記制御部は、前記操作検出部により検出された前記指示体の操作位置が、前記動画像が表示される前記表示面の画像領域に対して予め設定された範囲内にある場合に、前記動画像の表示状態を静止させる、ことを特徴とする請求項８記載の表示装置。
【請求項１０】
動画像データを供給する供給装置と、前記供給装置から供給される前記動画像データに基づく動画像を表示する表示装置とを備え、
前記表示装置は、
前記動画像データに基づく動画像を表示面に表示させる表示部と、
前記表示面に対する指示体の操作を検出する操作検出部と、
前記操作検出部により前記指示体の操作が検出された場合に、前記表示部が表示する前記動画像の表示状態を静止させる制御部と、
を備えることを特徴とする表示システム。
【請求項１１】
表示面に画像を表示させる表示部を備える表示装置の制御方法であって、
前記表示面に動画像が表示された状態で、前記表示面に対する指示体の操作を検出するステップと、
前記前記指示体の操作が検出された場合に、前記表示部が表示する前記動画像の表示状態を静止させるステップと、
を有することを特徴とする表示装置の制御方法。
【発明の詳細な説明】
【技術分野】
【０００１】
本発明は、表示装置、表示システム、及び、表示装置の制御方法に関する。
【背景技術】
【０００２】
従来、画像を表示する表示面に対する指示体の操作を検出して、検出した操作に対応した文字や図形等の画像を表示面に表示させる装置が知られている（例えば、特許文献１参照）。
特許文献１は、スクリーン上でのポインティングデバイスの軌跡を検出し、投射映像中に検出した軌跡に基づく画像を描画する情報表示システムを開示する。
【先行技術文献】
【特許文献】
【０００３】
【特許文献１】特開２０１２−５３６０３号公報
【発明の概要】
【発明が解決しようとする課題】
【０００４】
しかしながら、表示面に動画像が表示された状態で、指示体により、動画像の表示内容に関する書き込みを行う場合、動画像は画像が変化するため、動画像を一時停止させてから書き込みを行う必要があった。このため、指示体により、頻繁に書き込みを行う場合、書き込みを行う度に動画像を一時停止させる操作と、一時停止させた動画像の再生を再開させる操作とを行わなければならず、操作が煩雑になるという問題があった。
本発明は、上述した事情に鑑みてなされたものであり、表示面に表示された動画像に対して指示体により操作を行う場合の操作性を向上させた表示装置、表示システム、及び、表示装置の制御方法を提供することを目的とする。
【課題を解決するための手段】
【０００５】
上記目的を達成するために、本発明の表示装置は、動画像データに基づく動画像を表示面に表示させる表示部と、前記表示面に対する指示体の操作を検出する操作検出部と、前記操作検出部により前記指示体の操作が検出された場合に、前記表示部が表示する前記動画像の表示状態を静止させる制御部とを備えることを特徴とする。
本発明によれば、指示体の操作が検出されると、動画像の表示状態が静止される。従って、表示面に表示された動画像に対して指示体により操作を行う場合の操作性を向上させることができる。
【０００６】
また、本発明は、上記表示装置において、前記制御部は、前記表示部が前記動画像データに基づいて前記動画像を表示する状態で、前記操作検出部により前記指示体の操作が検出された場合に、前記動画像の表示状態を静止させて静止画像を前記表示部に表示させることを特徴とする。
本発明によれば、指示体の操作が検出されると、動画像の表示状態を静止させて静止画像が表示される。従って、指示体の操作によって動画像の表示状態を静止させることができる。
【０００７】
また、本発明は、上記表示装置において、前記制御部は、前記操作検出部により前記指示体の操作が検出された場合に、前記表示部により表示中の前記動画像の静止画像を生成し、生成した前記静止画像を前記表示部により表示させることを特徴とする。
本発明によれば、指示体の操作が検出されると、表示部により表示中の動画像の静止画像が生成され、表示部により表示される。従って、表示面に表示された動画像の静止画像を表示させることができる。
【０００８】
また、本発明は、上記表示装置において、前記表示装置に前記動画像データを供給する外部の装置と通信を行うインターフェース部を備え、前記制御部は、前記操作検出部により前記指示体の操作が検出された場合に、前記動画像データの表示状態を静止させる指示を前記インターフェース部により送信することを特徴とする。
本発明によれば、指示体の操作が検出されると、動画像データの表示状態を静止させる指示がインターフェース部により送信される。従って、外部の装置に、動画像データの表示状態を静止させるように指示することができる。
【０００９】
また、本発明は、上記表示装置において、前記制御部は、前記外部の装置から、前記動画像データの表示状態を静止させる前記指示に対する応答が前記インターフェース部により受信されない場合に、前記表示部により表示中の前記動画像の静止画像を生成し、生成した前記静止画像を前記表示部により表示させる。
本発明によれば、動画像データの表示状態を静止させる指示に対する応答をインターフェース部で受信できない場合に、動画像の静止画像が生成され、表示部により表示される。従って、インターフェース部により画像データの表示状態を静止させるように指示しても、インターフェース部で応答を受信できない場合に、動画像の静止画像を生成して表示させることができる。
【００１０】
また、本発明は、上記表示装置において、前記制御部は、前記操作検出部により検出される前記指示体の操作に基づいて描画画像を生成し、生成した前記描画画像を前記表示部により表示させることを特徴とする。
本発明によれば、操作検出部により検出される指示体の操作に基づいて描画画像が生成され、生成された描画画像が表示部により表示される。従って、指示体の操作により表示部により描画画像を表示させることができる。
【００１１】
また、本発明は、上記表示装置において、前記表示面には前記指示体の操作を検出する検出領域が設定され、前記制御部は、前記操作検出部により検出される前記検出領域での前記指示体の操作に基づいて描画画像を生成し、生成した前記描画画像を前記表示部により表示させることを特徴とする。
本発明によれば、検出領域で行われる指示体の操作を検出して、検出した指示体の操作に基づく描画画像を生成し、生成した描画画像が表示面に表示される。従って、指示体の操作を検出領域で行った場合には、指示体の操作に基づく描画画像が表示面に表示され、検出領域以外の領域で指示体の操作を行った場合には、表示面に描画画像を表示させることなく、指示体により他の操作を行うことができる。
【００１２】
また、本発明は、上記表示装置において、前記制御部は、前記操作検出部により検出される前記指示体の操作位置に基づき、前記動画像の表示状態を静止させるか否かを判定することを特徴とする。
本発明によれば、指示体の操作位置に基づき、動画像の表示状態を静止させるか否かが判定される。従って、指示体の操作位置を変更することで、動画像の表示状態を静止させて指示体の操作を行うか、動画像の表示状態を静止させることなく指示体により他の操作を行うかを切り替えることができる。
【００１３】
また、本発明は、上記表示装置において、前記制御部は、前記操作検出部により検出された前記指示体の操作位置が、前記動画像が表示される前記表示面の画像領域に対して予め設定された範囲内にある場合に、前記動画像の表示状態を静止させることを特徴とする。
本発明によれば、動画像が表示される表示面の画像領域から予め設定された範囲内で指示体の操作を行うことで、動画像の表示状態を静止させることができる。従って、指示体による操作を行う操作位置を変更することで、動画像の表示状態を静止させたり、動画像の表示状態を静止させないで指示体により他の操作を行ったりすることができる。
【００１４】
本発明の表示システムは、動画像データを供給する供給装置と、前記供給装置から供給される前記動画像データに基づく動画像を表示する表示装置とを備え、前記表示装置は、前記動画像データに基づく動画像を表示面に表示させる表示部と、前記表示面に対する指示体の操作を検出する操作検出部と、前記操作検出部により前記指示体の操作が検出された場合に、前記表示部が表示する前記動画像の表示状態を静止させる制御部と、を備えることを特徴とする。
本発明によれば、指示体の操作が検出されると、動画像の表示状態が静止される。従って、表示面に表示された動画像に対して指示体により操作を行う場合の操作性を向上させることができる。
【００１５】
本発明の表示装置の制御方法は、表示面に画像を表示させる表示部を備える表示装置の制御方法であって、前記表示面に動画像が表示された状態で、前記表示面に対する指示体の操作を検出するステップと、前記前記指示体の操作が検出された場合に、前記表示部が表示する前記動画像の表示状態を静止させるステップと、を有することを特徴とする。
本発明によれば、指示体の操作が検出されると、動画像の表示状態が静止される。従って、表示面に表示された動画像に対して指示体により操作を行う場合の操作性を向上させることができる。
【図面の簡単な説明】
【００１６】
【図１】第１実施形態の表示システムのシステム構成を示す構成図。
【図２】プロジェクターの構成を示す構成図。
【図３】撮像画像データを示す図。
【図４】プロジェクターの動作を示すフローチャート。
【図５】第２実施形態の表示システムのシステム構成を示す構成図。
【発明を実施するための形態】
【００１７】
以下、添付図面を参照して本発明の実施形態について説明する。
【００１８】
［第１実施形態］
図１は、第１実施形態の表示システム１Ａのシステム構成を示す構成図である。
表示システム１Ａは、画像信号を供給する画像供給装置１００と、画像供給装置１００から供給される画像信号に基づき、投射対象に静止画像や動画像等の画像を投射するプロジェクター２００とを備える。画像供給装置１００とプロジェクター２００とは、ケーブル３０により接続される。画像供給装置１００は、本発明の「外部の装置」に相当する。また、プロジェクター２００は、本発明の「表示装置」に相当する。
【００１９】
画像供給装置１００として、例えばノート型ＰＣ(Personal Computer)、デスクトップ型ＰＣやタブレット端末、スマートフォン、ＰＤＡ（Personal Digital Assistant）等を用いることができる。また、画像供給装置１００として、ビデオ再生装置、ＤＶＤ（Digital Versatile Disk）プレーヤー、ブルーレイディスクプレーヤー、テレビチューナー装置、ＣＡＴＶ（Cable television）のセットトップボックス、ビデオゲーム機等を用いることもできる。
【００２０】
本実施形態では、画像供給装置１００がプロジェクター２００に供給する画像信号には、動画像データ及び同期信号が含まれる。動画像データは、時系列に並べられた複数のフレーム画像データを、ＭＰＥＧ，ＷＭＶ，ＭｏｔｉｏｎＪＰＥＧ等の圧縮方式で符号化したデータである。フレーム画像データは、動画像データを構成する１フレームの画像データである。また、動画像データは、プレゼンテーションソフトウェアにより作成されたスライド動画であってもよい。また、同期信号は、動画像データの再生制御に必要な信号であり、水平同期信号や垂直同期信号が含まれる。
なお、本実施形態では、画像供給装置１００が供給する画像信号に、動画像データ及び同期信号が含まれる場合を説明するが、画像信号に、動画像データ、音声データ及び同期信号が含まれていてもよい。また、画像供給装置１００は、静止画像データを含む画像信号をプロジェクター２００に供給することもできる。
【００２１】
プロジェクター２００は、ケーブル３０を介して受信した画像信号から動画像データ及び同期信号を取り出し、同期信号により規定されたタイミングに従って動画像データを処理し、処理した動画像データに基づく動画像を投射対象に投射する。本実施形態のプロジェクター２００は、投射対象としてのスクリーンＳＣの上方に設置され、下方に配置されたスクリーンＳＣに向けて動画像を投射する。スクリーンＳＣは、本発明の「表示面」に相当する。本実施形態は、投射対象がスクリーンＳＣである場合を例に挙げて説明するが、投射対象は、建物の内壁等の平らな面を有するものであればよい。また、投射対象は、建物の外壁等であってもよい。
【００２２】
プロジェクター２００は、スクリーンＳＣに画像を投射する。画像が投射されるスクリーンＳＣ上の領域を投射領域（画像領域）１０という。プロジェクター２００は、スクリーンＳＣの全面を投射領域１０として画像を投射することも可能であるし、スクリーンＳＣの一部の領域を投射領域１０として画像を投射することも可能である。図１には、スクリーンＳＣの一部の領域を投射領域１０として画像を投射した場合を示す。
【００２３】
プロジェクター２００は、スクリーンＳＣに対する指示体７０の操作を検出する。プロジェクター２００は、指示体７０の操作を検出して、検出した操作に対応した処理を行う。プロジェクター２００は、スクリーンＳＣ方向を撮像する指示体検出部２４０（図２参照）を備え、指示体検出部２４０により生成される撮像画像データに基づき指示体７０の操作を検出する。指示体７０の操作に応じて、プロジェクター２００が実行可能な処理には、例えば、スクリーンＳＣに、文字や記号、図形等の画像を描画する描画処理が含まれる。また、スクリーンＳＣに、メニュー画像５０が表示された状態で、指示体７０によりメニュー画像５０のアイコンが選択されると、選択されたアイコンに対応する処理を実行する。メニュー画像５０に表示されるアイコンには、例えば、描画処理により描画された画像を消去するアイコンや、描画処理により描画する線の太さを選択するアイコン、描画処理により描画された画像を保存するアイコン、一時停止させた動画像の再生を再開させるアイコン等が含まれる。
また、本実施形態では、指示体７０として電子ペンを用いる場合を説明するが、指示体７０は、ユーザーの指であってもよい。
【００２４】
図２は、プロジェクター２００の構成図である。
プロジェクター２００は、複数のインターフェース部（以下、Ｉ／Ｆ部と略記する）２５１、２５２を備える。各Ｉ／Ｆ部２５１、２５２は、ケーブル３０に接続するコネクター及びＩ／Ｆ回路（いずれも図示略）を備え、ケーブル３０に接続された画像供給装置１００から供給される画像信号を入力する。各Ｉ／Ｆ部２５１、２５２は、入力された画像信号から動画像データ及び同期信号を取り出し、取り出した動画像データ及び同期信号を画像処理部２５３に出力する。
【００２５】
Ｉ／Ｆ部２５１、２５２が備えるインターフェースは、例えば、ＨＤＭＩ（登録商標）、ＭＨＬ（登録商標）、ＤｉｓｐｌａｙＰｏｒｔ等の画像データ用のインターフェースであってもよい。
また、プロジェクター２００が音声データの再生が可能な構成である場合、Ｉ／Ｆ部２５１、２５２は、動画像データを入力するインターフェースと、音声データを入力するインターフェースとをそれぞれ別々に備えていてもよい。例えば、プロジェクター２００は、動画像データの受信用のコネクターとしてＤ−Ｓｕｂコネクター等のＶＧＡ端子やＤＶＩ（Digital Visual Interface）端子を備え、音声データの受信用のコネクターとして、コンポジット端子を備える構成とすることができる。Ｉ／Ｆ部２５１、２５２は、コネクターとしてＶＧＡ端子を備え、ＶＧＡ端子を介してアナログ画像信号が入力された場合に、不図示のＡ／Ｄ変換回路によりアナログ画像信号を動画像データに変換して画像処理部２５３に出力する構成であってもよい。また、Ｉ／Ｆ部２５１、２５２が備えるインターフェースは、Ｅｔｈｅｒｎｅｔ（登録商標）、ＩＥＥＥ１３９４、ＵＳＢ、ＲＳ−２３２Ｃ等のデータ通信用のインターフェースであってもよい。
また、画像供給装置１００とプロジェクター２００とを無線により接続してもよい。この場合、インターフェースとして、例えば、Ｍｉｒａｃａｓｔ（登録商標）や、ＷｉｒｅｌｅｓｓＨＤ（登録商標）、Ｗｉｄｉ（Wireless Display）、ＡｉｒＰｌａｙ（登録商標）、ＷＨＤＩ（Wireless Home Digital Interface）等を用いることができる。
本実施形態では、Ｉ／Ｆ部２５１は、例えば、ＨＤＭＩ等の画像信号の送信と、制御信号の送受信とが可能なインターフェースを備えるとする。Ｉ／Ｆ部２５１に接続されたケーブル３０は、画像信号の送受信に使用するデータ線と、制御信号の送受信に使用するＣＥＣ（Consumer Electronics Control Line）線とを含む。
また、Ｉ／Ｆ部２５２のインターフェースは、画像信号の送信のみが可能なインターフェースであるとする。すなわち、Ｉ／Ｆ部２５２は、画像供給装置１００にＩ／Ｆ部２５２が接続された場合、プロジェクター２００から画像供給装置１００に制御信号を送信することはできないインターフェースであるとする。
【００２６】
プロジェクター２００は、光学的な画像の形成を行い、スクリーンＳＣに画像を投射させる表示部２１０を備える。
表示部２１０は、光源部２１１、光変調装置２１２及び投射光学系２１３を備える。表示部２１０及び後述する画像処理部２５３が、本発明の「表示部」に相当する。
光源部２１１は、キセノンランプ、超高圧水銀ランプ、ＬＥＤ（Light Emitting Diode）又はレーザー光源等からなる光源を備える。また、光源部２１１は、光源が発した光を光変調装置２１２に導くリフレクター及び補助リフレクターを備えていてもよい。さらに、光源部２１１は、投射光の光学特性を高めるためのレンズ群、偏光板、又は光源が発した光の光量を光変調装置２１２に至る経路上で低減させる調光素子等（いずれも図示略）を備えていてもよい。
【００２７】
光源部２１１は、光源駆動部２２１により駆動される。光源駆動部２２１は、内部バス２８０に接続される。光源駆動部２２１は、制御部２７０の制御により光源部２１１の光源を点灯及び消灯させる。
【００２８】
光変調装置２１２は、例えば、ＲＧＢの三原色に対応した３枚の液晶パネルを備える。光源部２１１が発する光はＲＧＢの３色の色光に分離され、それぞれ対応する液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系２１３に射出される。
【００２９】
光変調装置２１２は、光変調装置駆動部２２２により駆動される。光変調装置駆動部２２２は、内部バス２８０に接続される。
光変調装置駆動部２２２は、画像合成部２５７から入力される表示画像データに基づきＲ，Ｇ，Ｂの表示画像信号を生成する。光変調装置駆動部２２２は、生成したＲの表示画像信号、Ｇの表示画像信号、Ｂの表示画像信号に基づき対応する液晶パネルを駆動し、各液晶パネルに画像を描画する。
【００３０】
投射光学系２１３は、光変調装置２１２により変調された画像光をスクリーンＳＣ方向へ投射して、スクリーンＳＣ上に結像させるレンズ群を備える。また、投射光学系２１３は、スクリーンＳＣに投射される画像を拡大又は縮小させるズーム機構や、フォーカスの調整を行うフォーカス調整機構を備えていてもよい。
【００３１】
プロジェクター２００は、操作パネル２３１及び入力処理部２３３を備える。入力処理部２３３は、内部バス２８０に接続される。
ユーザーインターフェースとして機能する操作パネル２３１には、各種の操作キーや、液晶パネルにて構成された表示画面が設けられる。
入力処理部２３３は、操作パネル２３１の操作キーが操作されると、操作されたキーに対応した操作信号を制御部２７０に出力する。また、操作パネル２３１には、操作パネル２３１への接触を検出するタッチセンサーが重ね合わされて一体形成される。入力処理部２３３は、ユーザーの指等が接触した操作パネル２３１の位置を入力位置として検出し、検出した入力位置に対応した操作信号を制御部２７０に出力する。さらに、入力処理部２３３は、制御部２７０から入力される制御信号に基づいて、操作パネル２３１に各種画面を表示させる。
【００３２】
また、プロジェクター２００は、ユーザーが使用するリモコン５を有する。リモコン５は各種のボタンを備えており、これらのボタンの操作に対応して赤外線信号を送信する。プロジェクター２００の本体には、リモコン５が発する赤外線信号を受光するリモコン受光部２３２が配置されている。リモコン受光部２３２は、リモコン５から送信される赤外線信号を受光する。入力処理部２３３は、リモコン受光部２３２が受光した赤外線信号をデコードして、リモコン５における操作内容を示す操作信号を生成し、制御部２７０に出力する。
【００３３】
プロジェクター２００は、内部バス２８０に接続された指示体検出部２４０を備える。指示体検出部２４０は、撮像部２４１及び位置検出部２４２を備え、スクリーンＳＣに対する指示体７０の操作を検出する。指示体検出部２４０は、本発明の「操作検出部」に相当する。
【００３４】
ここで、指示体７０の構成について説明する。
ユーザーは、指示体７０を手に持って指示体７０の先端部をスクリーンＳＣに接触させるように操作する。指示体７０の先端部には、押圧された場合に赤外光を発光する操作スイッチ（図示略）が内蔵される。指示体７０の先端部を壁やスクリーンＳＣに押しつける操作がされると、操作スイッチがオンになり、赤外光が発光される。
【００３５】
撮像部２４１は、赤外光による撮像と、可視光による撮像とをそれぞれに実行できる。具体的には、赤外光を撮像する赤外用撮像素子、可視光を撮像する可視光用撮像素子、赤外用撮像素子のインターフェース回路、及び可視光用撮像素子のインターフェース回路を備えた構成とすることができる。また、１つの撮像素子により可視光と赤外光との撮像を行う構成であってもよい。また、例えば、撮像部２４１に、撮像素子に入射する光の一部を遮るフィルターを設け、撮像素子に赤外光を受光させる場合に、主に赤外領域の光を透過するフィルターを撮像素子の前に配置させてもよい。また、撮像素子は、ＣＣＤ、ＣＭＯＳのいずれであってもよいし、他の素子を用いてもよい。
【００３６】
赤外光による撮像時の撮像部２４１の撮像方向及び撮像範囲（画角）は、投射光学系２１３と同じ方向又は略同じ方向を向き、投射光学系２１３がスクリーンＳＣ上に画像を投射する範囲をカバーする。同様に、可視光による撮像時の撮像部２４１の撮像方向及び撮像範囲は、投射光学系２１３と同じ方向又は略同じ方向を向き、投射光学系２１３がスクリーンＳＣ上に画像を投射する範囲をカバーする。撮像部２４１は、赤外光で撮像した撮像画像データ、及び可視光で撮像した撮像画像データを位置検出部２４２に出力する。
【００３７】
位置検出部２４２は、指示体７０の操作及び操作位置を検出する。位置検出部２４２は、指示体７０の先端部の発光を、赤外光で撮像した撮像画像データから検出して、指示体７０の先端部の位置を検出する。位置検出部２４２は、検出した指示体７０の先端部の位置を示す座標情報を生成し、指示体７０の操作位置を示す座標情報として制御部２７０に出力する。この座標情報は、撮像部２４１が生成した撮像画像データ上での座標である。
【００３８】
また、位置検出部２４２は、撮像部２４１が可視光により撮像した撮像画像データから、投射領域１０（表示位置）を検出する。
投射領域１０の検出方法について説明する。後述する制御部２７０は、表示部２１０を制御して、スクリーンＳＣに、所定パターンの画像を投射させる。次に、制御部２７０は、指示体検出部２４０を制御して、撮像部２４１に可視光の撮像画像データを生成させる。位置検出部２４２は、撮像部２４１が生成した可視光の撮像画像データから、所定パターンの画像を検出して、投射領域１０を検出する。位置検出部２４２は、検出した投射領域１０の範囲を示す情報を制御部２７０に出力する。なお、投射領域１０を検出するためにスクリーンＳＣに投射される所定パターンの画像は、例えば、黒画像等、撮像画像データから投射領域１０の範囲を検出可能な画像であればよい。
【００３９】
プロジェクター２００は、画像処理系を備える。この画像処理系は、プロジェクター２００の全体を統合的に制御する制御部２７０を中心に構成され、この他に、記憶部２６０、画像処理部２５３、画像合成部２５７及びフレームメモリー２５５を備える。画像処理系を構成する各部は、内部バス２８０によりデータ通信可能に相互に接続される。画像処理部２５３は、本発明の「表示部」に相当する。
【００４０】
画像処理部２５３は、Ｉ／Ｆ部２５１から、動画像データを構成する複数のフレーム画像データを１フレーム画像データごとに入力し、入力したフレーム画像データをフレームメモリー２５５に展開して処理する。また、画像処理部２５３には、Ｉ／Ｆ部２５１から同期信号が入力され、画像処理部２５３は、入力される同期信号に合わせてフレーム画像データを処理する。画像処理部２５３が行う処理には、例えば、解像度変換（スケーリング）処理又はリサイズ処理、歪み補正等の形状補正処理、デジタルズーム処理、色調補正処理、輝度補正処理等が含まれる。画像処理部２５３は、制御部２７０により指定された処理を実行し、必要に応じて、制御部２７０から入力されるパラメーターを使用して処理を行う。また、画像処理部２５３は、上記のうち複数の処理を組み合わせて実行することも勿論可能である。画像処理部２５３は、処理が終了したフレーム画像データを画像合成部２５７に出力する。
また、画像処理部２５３が処理するデータは、Ｉ／Ｆ部２５１から入力される動画像データだけではなく、記憶部２６０に事前に記憶された動画像データも含まれる。すなわち、プロジェクター２００の電源がオンされた際に、記憶部２６０に記憶されていた動画像データも含まれる。
【００４１】
画像合成部２５７は、画像処理部２５３から入力されるフレーム画像データをフレームメモリー２５５に展開する。また、画像合成部２５７は、制御部２７０から後述する描画データ（描画画像）が入力される場合には、制御部２７０の制御に従って、フレームメモリー２５５に展開されたフレーム画像データに、取得した描画データを重畳して表示画像データを生成する。描画データの詳細については後述する。画像合成部２５７は、生成した表示画像データをフレームメモリー２５５から読み出し、光変調装置駆動部２２２に出力する。また、画像合成部２５７は、制御部２７０から描画データが入力されない場合には、画像処理部２５３により処理され、フレームメモリー２５５に展開されたフレーム画像データを読み出し、読み出したフレーム画像データを、表示画像データとして光変調装置駆動部２２２に出力する。
【００４２】
記憶部２６０は、例えば、ハードディスク装置等の補助記憶装置である。記憶部２６０は、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクで代替されてもよい。記憶部２６０は、制御部２７０が実行するアプリケーションプログラムや各種データを記憶する。
また、記憶部２６０は、指示体検出部２４０により検出された投射領域１０の範囲を示す情報を記憶する。
【００４３】
制御部２７０は、ハードウェアとしてＣＰＵ、ＲＯＭ及びＲＡＭ（いずれも図示略）を備える。ＲＯＭは、フラッシュＲＯＭ等の不揮発性の記憶装置であり、制御プログラム及びデータを記憶する。ＲＡＭは、ＣＰＵのワークエリアを構成する。ＣＰＵは、ＲＯＭから読み出した制御プログラムをＲＡＭに展開し、展開された制御プログラムを実行してプロジェクター２００の各部を制御する。
【００４４】
制御部２７０は、機能ブロックとして、投射制御部２７１、操作取得部２７２、描画処理部２７３、データ保存部２７４及び停止制御部２７５を備える。これらの機能ブロックは、ＲＡＭに展開された制御プログラムを実行することで実現される。停止制御部２７５は、本発明の「制御部」に相当する。
【００４５】
投射制御部２７１は、プロジェクター２００の各部を制御して、スクリーンＳＣへの動画像の投射を制御する。
具体的には、投射制御部２７１は、画像処理部２５３を制御して、入力されるフレーム画像データを処理させる。この際、投射制御部２７１は、画像処理部２５３の処理に必要なパラメーターを記憶部２６０から読み出し、画像処理部２５３に出力してもよい。また、投射制御部２７１は、画像合成部２５７を制御して、画像合成部２５７に、フレーム画像データと描画データとを合成する処理を実行させる。また、投射制御部２７１は、光変調装置駆動部２２２を制御して光変調装置２１２の液晶パネルに画像を描画させる。さらに、投射制御部２７１は、光源駆動部２２１を制御して光源部２１１の光源を点灯させ、光源の輝度を調整させる。これにより、光源が発光して光変調装置２１２が変調する画像光が投射光学系２１３によりスクリーンＳＣに投射される。
【００４６】
操作取得部２７２は、指示体検出部２４０から入力される座標情報が示す座標を座標変換する。指示体検出部２４０が制御部２７０に出力する座標情報は、撮像部２４１の生成する撮像画像データ上での座標である。操作取得部２７２は、指示体検出部２４０から入力される座標情報が示す座標を、フレームメモリー２５５上での座標に変換する。すなわち、操作取得部２７２は、指示体検出部２４０から入力される座標を、描画処理部２７３がフレームメモリー２５５に描画を行うための座標である、フレームメモリー２５５上の座標に変換する。操作取得部２７２は、座標変換した座標情報を描画処理部２７３に出力する。
【００４７】
描画処理部２７３は、操作取得部２７２から入力される座標情報が示す操作位置の座標をつなぎ合わせて、指示体７０による操作の軌跡を検出する。描画処理部２７３は、検出した軌跡に合わせて描画データを生成する。この描画データは、例えば、文字や記号、線、図形等を表すデータである。描画処理部２７３は、生成した描画データを画像合成部２５７に出力する。
また、描画処理部２７３は、操作取得部２７２から入力される座標情報が示す座標が、複数回連続して同一の位置又はほぼ同一の位置を示す場合、検出された操作位置を選択する操作が入力されたと判定する。この場合、描画処理部２７３は、例えば、スクリーンＳＣに表示されたメニュー画像５０のアイコンを選択する操作であると判定し、検出した座標に表示されたアイコンを選択する操作として受け付ける。
【００４８】
データ保存部２７４は、指示体７０や操作パネル２３１が操作され、データを保存する指示を受け付けた場合、フレームメモリー２５５に展開された表示画像データを取得し、取得した表示画像データを記憶部２６０に記憶させる。
【００４９】
停止制御部２７５は、指示体検出部２４０によりスクリーンＳＣに対する指示体７０の操作が検出されると、スクリーンＳＣに投射中の動画像の表示状態を静止させて静止画像を投射させる。
まず、停止制御部２７５は、画像供給装置１００が接続されると、この画像供給装置１００に接続されたインターフェースが、制御信号の送受信が可能なＩ／Ｆ部２５１であるのか、制御信号の送受信ができないＩ／Ｆ部２５２であるのかを判定する。すなわち、停止制御部２７５は、画像供給装置１００に制御信号を送信して、動画像データの表示状態を静止させることができるか否かを判定する。停止制御部２７５は、判定結果をＲＡＭに記憶させる。
次に、プロジェクター２００は、接続した画像供給装置１００から画像信号の供給が開始されると、この画像信号をＩ／Ｆ部２５１又は２５２で受信し、受信した画像信号から動画像データ及び同期信号を取り出す。また、プロジェクター２００は、取り出した動画像データを画像処理部２５３等で処理し、スクリーンＳＣに、動画像データに基づく動画像を投射させる。
【００５０】
停止制御部２７５は、スクリーンＳＣに対する指示体７０の操作が指示体検出部２４０により検出されると、スクリーンＳＣに投射中の動画像を静止させて静止画像をスクリーンＳＣに投射させる。
停止制御部２７５は、指示体７０の操作が検出されると、ＲＡＭに記憶された情報を参照して、画像供給装置１００との接続に、Ｉ／Ｆ部２５１が使用されたか否かを判定する。停止制御部２７５は、画像供給装置１００との接続に、制御信号の送受信が可能なＩ／Ｆ部２５１が使用されていると判定する場合、画像供給装置１００に対して制御信号を送信する。この制御信号は、画像供給装置１００に、画像信号の供給を停止するように要求する制御信号である。
停止制御部２７５は、画像供給装置１００から、制御信号に対する応答を示す応答信号（ACKnowledgement）を、所定時間以内に受信した場合、画像供給装置１００からの画像信号の供給が停止されたと判定する。画像供給装置１００からの画像信号の供給が停止されると、画像処理部２５３には、新たなフレーム画像データが入力されない。このため、新たなフレーム画像データがフレームメモリー２５５に展開されることはなく、フレームメモリー２５５に展開済みのフレーム画像データに基づく画像（静止画像）がキャプチャー画像としてスクリーンＳＣに投射される。
停止制御部２７５は、応答信号を受信すると、描画処理部２７３に、描画データの生成を指示する。描画データの生成を指示された描画処理部２７３は、指示体検出部２４０により検出される指示体７０の操作位置に対応する描画データを生成し、画像合成部２５７は、この描画データを、フレームメモリー２５５に展開されたフレーム画像データに重畳する。これらの処理により、指示体７０の操作に対応した文字や記号、図形等の画像(以下、描画画像という)がスクリーンＳＣに投射される。
【００５１】
また、停止制御部２７５は、画像供給装置１００との接続に、Ｉ／Ｆ部２５２が使用されたと判定した場合、又は制御信号の送信から所定時間以内に応答信号を受信することができなかった場合、フリーズ処理を実行して動画像の静止画像を生成する。
フリーズ処理とは、画像処理部２５３に処理の実行を停止させ、フレームメモリー２５５に、新たなフレーム画像データが展開されないようにする処理である。フリーズ処理が実行され、画像処理部２５３が処理を停止している間に、画像供給装置１００から供給される画像信号は、処理されずに破棄される。すなわち、フリーズ処理が実行されている間は、供給される動画像データを構成するフレーム画像データが新たにフレームメモリー２５５に展開されることはなく、フレームメモリー２５５に展開済みのフレーム画像データに基づく画像（静止画像）が、キャプチャー画像としてスクリーンＳＣに投射される。
また、画像合成部２５７は、フリーズ処理が実行されている間は、描画処理部２７３から描画データが入力された場合にだけ、フレームメモリー２５５に展開されたフレーム画像データに、入力された描画データを重畳させて、光変調装置駆動部２２２に出力する。
【００５２】
また、停止制御部２７５は、操作検出領域（検出領域）１５を設定し、この操作検出領域１５内で、指示体７０の操作が検出された場合に、動画像の表示状態を静止させる。
この操作検出領域１５は、投射領域１０に基づき設定される。本実施形態では、操作検出領域１５は、投射領域１０の全体を含み、投射領域１０よりも広い範囲に設定されるが、投射領域１０の一部の領域だけが含まれるように操作検出領域１５を設定してもよいし、投射領域１０に重ならないように設定してもよい。また、撮像部２４１が生成する撮像画像データに撮像される範囲の全体を操作検出領域１５としてもよい。
停止制御部２７５は、スクリーンＳＣに投射される動画像の投射領域１０に基づいて操作検出領域１５を設定する。操作検出領域１５の設定方法を、図３を参照しながら説明する。
【００５３】
図３は、撮像部２４１が生成した可視光の撮像画像データを示す。
位置検出部２４２は、例えば、撮像画像データから所定パターンの画像データを検出して、投射領域１０を検出する。図３に示す例では、位置検出部２４２は、４頂点（Ｘ１，Ｙ１），（Ｘ２，Ｙ２），（Ｘ３，Ｙ３），（Ｘ４，Ｙ４）により囲まれた範囲を投射領域１０として検出する。なお、図３には、撮像画像データの左上を原点とし、水平方向をＸ軸方向、垂直方向をＹ軸方向に設定した座標系を示す。
【００５４】
停止制御部２７５は、記憶部２６０から４頂点（Ｘ１，Ｙ１），（Ｘ２，Ｙ２），（Ｘ３，Ｙ３），（Ｘ４，Ｙ４）の座標を取得し、取得した各座標に予め設定された値を加算又は減算して、操作検出領域１５を設定する。
図３には、操作検出領域１５を示す４頂点の座標に、Ｘ軸方向α、Ｙ軸方向βを加算又は減算して、操作検出領域１５を検出した場合を示す。例えば、投射領域１０が（Ｘ１，Ｙ１），（Ｘ２，Ｙ２），（Ｘ３，Ｙ３），（Ｘ４，Ｙ４）である場合、操作検出領域１５は、４頂点（Ｘ１−α，Ｙ１−β），（Ｘ２＋α，Ｙ２−β），（Ｘ３−α，Ｙ３＋β），（Ｘ４＋α、Ｙ４＋β）を直線で結んだ範囲となる。
【００５５】
停止制御部２７５は、指示体検出部２４０により検出される指示体７０の操作が、この操作検出領域１５内での操作である場合に、画像処理部２５３に、処理の実行停止を指示する。従って、指示体７０の操作を、操作検出領域１５内において行うことにより、動画像を静止させることができ、動画像を静止させた状態で指示体７０による操作を行うことができる。また、指示体７０の操作を、操作検出領域１５の外側で行うことで、動画像を静止させることなく、指示体７０による操作を行うことができる。また、スクリーンＳＣに投射される動画像の投射領域１０に基づいて操作検出領域１５を設定することで、指示体７０の操作が、動画像に関連する操作である場合に、動画像を静止させることができる。
【００５６】
図３の説明では、位置検出部２４２が検出した投射領域１０の４頂点の座標に、所定値αやβを加算又は減算した範囲を操作検出領域１５とした。但し、操作検出領域１５は、投射領域１０の全体を含む必要はなく、一部の領域を含むように設定してもよい。例えば、投射領域１０の下半分の領域又は上半分の領域が含まれるように操作検出領域１５を設定してもよい。例えば、小学生等の子供が指示体７０を操作した場合と、先生等の大人が指示体７０を操作した場合とで、動画像を静止させるか否かを変更することができる。
また、操作検出領域１５を、投射領域１０を含まないように設定してもよい。例えば、スクリーンＳＣの左側に動画像データに基づく動画を投射し、スクリーンＳＣの右側を操作検出領域１５としてもよい。
【００５７】
図４は、プロジェクター２００の動作を示すフローチャートである。
停止制御部２７５は、まず、動画像データに基づく動画像がスクリーンＳＣに投射されたか否かを判定する（ステップＳ１）。否定判定の場合（ステップＳ１／ＮＯ）、停止制御部２７５は、動画像データに基づく動画像の投射が開始されるまで待機する。また、肯定判定の場合（ステップＳ１／ＹＥＳ）、停止制御部２７５は、指示体検出部２４０により指示体７０の操作が検出されたか否かを判定する（ステップＳ２）。停止制御部２７５は、指示体検出部２４０から指示体７０の操作位置を示す座標情報が入力されたか否かを判定して、指示体７０の操作が検出されたか否かを判定する（ステップＳ２）。
【００５８】
ステップＳ２の判定が否定判定の場合（ステップＳ２／ＮＯ）、停止制御部２７５は、スクリーンＳＣへの動画像の投射が終了したか否かを判定する（ステップＳ３）。否定判定、すなわち、スクリーンＳＣへの動画像の投射が終了していない場合（ステップＳ３／ＮＯ）、停止制御部２７５は、ステップＳ２の判定に戻る。また、肯定判定、すなわち、スクリーンＳＣへの動画像の投射が終了した場合（ステップＳ３／ＹＥＳ）、停止制御部２７５は、この処理フローを終了させる。
【００５９】
また、ステップＳ２の判定が肯定判定の場合（ステップＳ２／ＹＥＳ）、停止制御部２７５は、指示体検出部２４０が検出した指示体７０の操作位置が、操作検出領域１５内にあるか否かを判定する（ステップＳ４）。
【００６０】
ステップＳ４の判定が否定判定の場合（ステップＳ４／ＮＯ）、停止制御部２７５は、ステップＳ２の処理に戻り、指示体検出部２４０により指示体７０の操作が検出されるまで待機する。また、肯定判定の場合（ステップＳ４／ＹＥＳ）、停止制御部２７５は、画像供給装置１００に、制御信号の送信が可能であるか否かを判定する（ステップＳ５）。停止制御部２７５は、画像供給装置１００との接続に、制御信号の送信が可能なＩ／Ｆ部２５１が使用されたか否かを判定して、画像供給装置１００に、制御信号の送信が可能であるか否かを判定する（ステップＳ５）。
【００６１】
ステップＳ５の判定が肯定判定の場合（ステップＳ５／ＹＥＳ）、停止制御部２７５は、画像供給装置１００に、画像信号の送信を停止するように要求する制御信号を送信する（ステップＳ６）。そして、停止制御部２７５は、画像供給装置１００から、制御信号に対する応答信号を受信するまで待機する。停止制御部２７５は、制御信号を送信してから所定時間以内に応答信号を受信した場合（ステップＳ７／ＹＥＳ）、ステップＳ９の処理に移行し、描画処理部２７３に描画データの生成を指示する。また、停止制御部２７５は、制御信号を送信してから所定時間以内に応答信号を受信することができなかった場合（ステップＳ７／ＮＯ）、ステップＳ８の処理に移行し、フリーズ処理を実行する。
【００６２】
停止制御部２７５は、ステップＳ５の判定が否定判定である場合（ステップＳ５／ＮＯ）、すなわち、画像供給装置１００との接続に、制御信号の送信ができないＩ／Ｆ部２５２が使用された場合、又は所定時間以内に応答信号を受信することができなかった場合（ステップＳ７／ＮＯ）に、フリーズ処理を実行する。
停止制御部２７５は、ステップＳ８において、フリーズ処理を実行する場合、画像処理部２５３に、処理の実行停止を指示する。処理の実行停止を指示された画像処理部２５３は、Ｉ／Ｆ部２５１から動画像データを構成するフレーム画像データが入力されても、このフレーム画像データをフレームメモリー２５５に展開せずに破棄する。フリーズ処理が実行されている間は、画像供給装置１００から供給されるフレーム画像データがフレームメモリー２５５に新たに展開されることはなく、フレームメモリー２５５に展開済みのフレーム画像データが、キャプチャー画像としてスクリーンＳＣに投射される。
【００６３】
また、ステップＳ８でフリーズ処理を実行すると、又はステップＳ７の判定において応答信号を受信したと判定した場合、停止制御部２７５は、描画処理部２７３に、描画データの生成を指示する（ステップＳ９）。
描画処理部２７３が描画データを生成して画像合成部２５７に出力することにより、フレームメモリー２５５に展開済みのフレーム画像データに、描画データが重畳される。この描画データが重畳されたフレーム画像データが、表示画像データとして表示部２１０により処理され、スクリーンＳＣに投射される。
【００６４】
次に、停止制御部２７５は、指示体検出部２４０により指示体７０の操作が検出されたか否かを判定する（ステップＳ１０）。否定判定の場合（ステップＳ１０／ＮＯ）、停止制御部２７５は、指示体７０の操作が検出されるまで待機する。また、肯定判定の場合（ステップＳ１０／ＹＥＳ）、停止制御部２７５は、検出された指示体７０の操作が、動画像の一時停止を解除させる操作であるか否かを判定する（ステップＳ１１）。例えば、停止制御部２７５は、メニュー画像５０のアイコンに、動画像の一時停止を解除させるアイコンが含まれる場合には、この動画像の一時停止を解除させるアイコンが選択されたか否かを判定する。なお、ステップＳ１０で検出する操作が、操作パネル２３１の操作であり、ステップＳ１１の判定が、操作パネル２３１により、動画像の一時停止を解除させる操作を受け付けたか否かを判定する操作であってもよい。
【００６５】
停止制御部２７５は、検出された指示体７０の操作が、動画像の一時停止を解除させる操作ではなかった場合（ステップＳ１１／ＮＯ）、受け付けた操作に対応した処理の実行を、この処理の実行を制御する他の機能ブロック（例えば、投射制御部２７１や、描画処理部２７３、データ保存部２７４）に指示する（ステップＳ１２）。
また、検出された指示体７０の操作が、動画像の一時停止を解除させる操作であった場合（ステップＳ１１／ＹＥＳ）、停止制御部２７５は、ステップＳ５の判定と同様に、画像供給装置１００に、制御信号の送信が可能であるか否かを判定する（ステップＳ１３）。肯定判定の場合（ステップＳ１３／ＹＥＳ）、停止制御部２７５は、画像供給装置１００に制御信号を送信して（ステップＳ１４）、画像供給装置１００に、画像信号の供給を再開させる。
また、否定判定の場合（ステップＳ１３／ＮＯ）、停止制御部２７５は、画像処理部２５３に処理の開始を指示して、フリーズ処理を解除させる（ステップＳ１５）。停止制御部２７５からの指示を受けた画像処理部２５３は、Ｉ／Ｆ部２５１から入力されるフレーム画像データをフレームメモリー２５５に展開して処理し、処理後のフレーム画像データを画像合成部２５７に出力する。画像合成部２５７は、画像処理部２５３から入力されるフレーム画像データをフレームメモリー２５５に展開し、展開されたフレーム画像データを表示画像データとして光変調装置駆動部２２２に出力する。
ステップＳ１４又はＳ１５の処理の後、停止制御部２７５は、ステップＳ１の判定に戻り、動画像データに基づく動画像がスクリーンＳＣに投射されているか否かを判定する。
【００６６】
以上説明したように本発明の表示装置、表示システム及び表示装置の制御方法を適用した第１実施形態のプロジェクター２００は、表示部２１０、指示体検出部２４０及び停止制御部２７５を備える。表示部２１０は、動画像データに基づく動画像をスクリーンＳＣに投射させる。指示体検出部２４０は、スクリーンＳＣに対する指示体７０の操作を検出する。停止制御部２７５は、指示体検出部２４０により指示体７０の操作が検出された場合に、スクリーンＳＣに投射される動画像の表示状態を静止させる。
従って、スクリーンＳＣに投射された動画像に対して指示体７０により操作を行う場合の操作性を向上させることができる。
【００６７】
また、停止制御部２７５は、動画像データに基づく動画像がスクリーンＳＣに投射された状態で、指示体検出部２４０により指示体７０の操作が検出された場合に、動画像の表示状態を静止させて静止画像をスクリーンＳＣに表示させる。
従って、指示体７０の操作によって動画像の表示状態を静止させることができる。
【００６８】
また、停止制御部２７５は、指示体検出部２４０により指示体７０の操作が検出された場合に、スクリーンＳＣに投射中の動画像をキャプチャーしたキャプチャー画像を生成し、生成したキャプチャー画像を静止画像としてスクリーンＳＣに投射させる。
従って、指示体７０の操作が検出された際にスクリーンＳＣに表示されていた画像のキャプチャー画像を、静止画像として表示することができる。
【００６９】
また、プロジェクター２００は、画像供給装置１００との通信を行うＩ／Ｆ部２５１を備える。停止制御部２７５は、指示体検出部２４０によりスクリーンＳＣに対する指示体７０の操作が検出された場合に、画像供給装置１００に、動画像データの送信を停止させる制御信号を送信する。
従って、指示体７０の操作が検出されると、画像供給装置１００に、動画像データの送信を停止させる制御信号が送信される。このため、画像供給装置１００に、動画像データの供給を停止させ、動画像を静止させて静止画像をスクリーンＳＣに表示させることができる。
【００７０】
また、停止制御部２７５は、画像供給装置１００から、制御信号に対する応答信号を受信できない場合に、画像処理部２５３に処理の実行を停止させ、スクリーンＳＣに静止画像を表示させる。
従って、画像供給装置１００に、動画像データの供給を停止させることができない場合に、画像処理部２５３の処理を停止させて、スクリーンＳＣに静止画像を表示させることができる。
【００７１】
停止制御部２７５は、指示体検出部２４０により検出される指示体７０の操作に基づいて描画画像を生成し、生成した描画画像を表示部２１０によりスクリーンＳＣに表示させる。従って、指示体７０の操作によりスクリーンＳＣに描画画像を表示させることができる。
【００７２】
また、スクリーンＳＣには、指示体７０の操作を検出する操作検出領域１５が設定される。停止制御部２７５は、指示体検出部２４０により検出される操作検出領域１５での指示体７０の操作に基づいて描画データを生成し、生成した描画データに基づく描画画像をスクリーンＳＣに投射する。
従って、指示体７０の操作を操作検出領域１５で行った場合には、指示体７０の操作に基づく描画画像がスクリーンＳＣに表示され、操作検出領域１５以外の領域で指示体７０の操作を行った場合には、スクリーンＳＣに描画画像を表示させることなく、指示体７０により他の操作を行うことができる。
【００７３】
また、停止制御部２７５は、指示体検出部２４０により検出される指示体７０の操作のスクリーンＳＣでの位置に基づき、スクリーンＳＣに表示される動画像を静止させるか否かを判定し、静止させると判定した場合に動画像を静止させ、スクリーンＳＣに静止画像を表示させる。
従って、指示体７０による操作を行うスクリーンＳＣの位置を変更することで、動画像を静止させることなく、指示体７０による操作を行うか、動画像を静止させた状態で、指示体７０による操作を行うかを切り替えることができる。
【００７４】
また、停止制御部２７５は、指示体検出部２４０により検出された指示体７０の操作位置が、動画像が投射されたスクリーンＳＣの投射位置から予め設定された範囲内にある場合に、画像処理部２５３に処理の実行を停止させる。
従って、例えば、動画像が投射されたスクリーンＳＣの投射位置の近くで、指示体７０の操作が行われた場合には、動画像を静止させることが可能となる。また、動画像が投射されたスクリーンＳＣの投射位置から離れた位置で、指示体７０の操作が行われた場合には、動画像を静止させることなく、指示体７０による操作を行うことができる。
【００７５】
［第２実施形態］
添付図面を参照して本発明の第２実施形態について説明する。
図５は、第２実施形態のシステム構成を示す構成図である。
本実施形態の表示システム１Ｂは、プロジェクター２００Ａと、プロジェクター２００Ｂとを備える。プロジェクター２００Ａ及び２００Ｂの構成は、図２に示すプロジェクター２００の構成と同一であるため、図示及びその説明を省略する。
プロジェクター２００Ａは、Ｉ／Ｆ部２５１として、例えば、ＨＤＭＩ入力端子と、ＨＤＭＩ出力端子（いずれも図示略）とを備える。プロジェクター２００Ｂは、Ｉ／Ｆ部２５１として、例えば、ＨＤＭＩ入力端子（図示略）を備える。
【００７６】
プロジェクター２００Ａとプロジェクター２００Ｂとは、ケーブル３５によりカスケード接続される。プロジェクター２００ＡのＨＤＭＩ入力端子は、ケーブル３０を介して画像供給装置１００に接続される。また、プロジェクター２００ＡのＨＤＭＩ出力端子と、プロジェクター２００ＢのＨＤＭＩ入力端子とは、ケーブル３５により接続される。
【００７７】
プロジェクター２００Ａは、操作パネル２３１により受け付けた操作設定に従って、第１モード又は第２モードにより動作する。
プロジェクター２００Ａは、第１モードに設定された場合、画像供給装置１００から入力される画像信号を、プロジェクター２００Ｂに出力することなく、プロジェクター２００Ａで処理する。プロジェクター２００Ａは、入力される画像信号から動画像データを取り出して処理し、動画像データに基づく動画像をスクリーンＳＣの投射領域１０Ａに投射する。
また、プロジェクター２００Ａは、第２モードに設定されると、画像供給装置１００から入力される画像信号を、プロジェクター２００Ａでは処理せず、プロジェクター２００Ｂに出力する。プロジェクター２００Ｂは、プロジェクター２００Ａから入力される画像信号から動画像データを取り出して処理し、動画像データに基づく動画像をスクリーンＳＣの投射領域１０Ｂに投射する。
【００７８】
以下では、プロジェクター２００Ａの動作モードが第２モードであり、プロジェクター２００Ａは、画像供給装置１００から供給される画像信号をプロジェクター２００Ｂに出力するものとして説明する。また、プロジェクター２００Ａは、投射領域１０Ａにおいて行われる指示体７０の操作を検出し、検出した操作に対応した画像を、投射領域１０Ａに投射する処理を行う。
【００７９】
プロジェクター２００Ａの停止制御部２７５は、投射領域１０Ａに対する指示体７０の操作を指示体検出部２４０により検出した場合、画像供給装置１００との接続に使用したインターフェースが、Ｉ／Ｆ部２５１であるのか、Ｉ／Ｆ部２５２であるのかを判定する。
プロジェクター２００Ａの停止制御部２７５は、画像供給装置１００との接続に、制御信号の送受信が可能なＩ／Ｆ部２５１が使用されている場合、画像供給装置１００に制御信号を送信して画像信号の供給を停止させる。
画像供給装置１００からの画像信号の供給が停止し、プロジェクター２００ＢがスクリーンＳＣの投射領域１０Ｂに投射する動画像が一時停止されると、プロジェクター２００Ａは、指示体７０の操作を検出して、検出した操作に対応した描画データを生成する。そして、プロジェクター２００Ａは、生成した描画データに基づく描画画像をスクリーンＳＣの投射領域１０Ａに投射する。
【００８０】
また、プロジェクター２００Ａの停止制御部２７５は、画像供給装置１００との接続に、制御信号の送受信ができないＩ／Ｆ部２５２が使用されている場合、プロジェクター２００Ｂに制御信号を送信して、プロジェクター２００Ｂに、フリーズ処理を実行させる。
プロジェクター２００Ａからフリーズ処理の実行を指示されたプロジェクター２００Ｂは、プロジェクター２００Ｂの画像処理部２５３に、処理の実行停止を指示する。
処理の実行停止を指示されたプロジェクター２００Ｂの画像処理部２５３は、フレーム画像データが入力されても、このフレーム画像データをフレームメモリー２５５に展開せずに破棄する。フリーズ処理が実行されている間は、フレームメモリー２５５に展開済みのフレーム画像データが、キャプチャー画像としてスクリーンＳＣの投射領域１０Ｂに投射される。
プロジェクター２００Ａは、プロジェクター２００Ｂから、制御信号に対する応答信号を受信した場合、指示体７０の操作を検出し、検出した操作に対応した描画データを生成する。そして、プロジェクター２００Ａは、生成した描画データに基づく描画画像をスクリーンＳＣの投射領域１０Ａに投射する。
【００８１】
このように第２実施形態では、指示体７０の操作を検出するプロジェクター２００Ａと、画像を投射するプロジェクター２００Ｂとをそれぞれ別々のプロジェクター２００に分担させた場合であっても、指示体７０の操作が検出された場合には、スクリーンＳＣに投射された動画像を静止させて静止画像を表示させることができる。
【００８２】
上述の第２実施形態では、プロジェクター２００Ｂだけが画像を投射する場合を示したが、プロジェクター２００Ａ及びプロジェクター２００Ｂの両方が画像を投射してもよい。
例えば、プロジェクター２００Ａとプロジェクター２００Ｂとを別々の画像供給装置１００に接続する。プロジェクター２００Ａ及びプロジェクター２００Ｂは、各画像供給装置１００から供給される画像信号をそれぞれ処理して、画像を投射領域１０Ａと、投射領域１０Ｂとにそれぞれ投射する。
ここでは、一例として、プロジェクター２００Ａが投射する画像が静止画像、例えば、ワープロソフトによって生成される文書画像データに基づく画像（文書画像という）であると仮定する。また、プロジェクター２００Ｂが投射する画像が動画像、例えば、動画再生ソフトによって生成される動画像データに基づく動画像であると仮定する。
【００８３】
プロジェクター２００Ａの停止制御部２７５は、投射領域１０Ａに対する指示体７０の操作を検出した場合、プロジェクター２００Ｂに、動画像の静止を指示する。プロジェクター２００Ｂは、画像供給装置１００との接続に、制御信号の送受信が可能なＩ／Ｆ部２５１が使用されている場合には、画像供給装置１００に制御信号を送信して画像信号の供給を停止させる。また、プロジェクター２００Ｂは、画像供給装置１００との接続に、制御信号の送受信が不可能なＩ／Ｆ部２５２が使用されている場合、フリーズ処理を実行する。
【００８４】
プロジェクター２００Ａの停止制御部２７５は、プロジェクター２００Ｂに、画像の静止を指示すると、指示体７０の操作を検出し、検出した操作に対応した描画データを生成する。そして、プロジェクター２００Ａは、生成した描画データに基づく描画画像を、投射領域１０Ａに投射された文書画像上に重畳させる。
また、指示体７０や操作パネル２３１が操作され、データの保存指示を受け付けた場合、データ保存部２７４は、フレームメモリー２５５に展開された表示画像データを取得し、取得した表示画像データを記憶部２６０に記憶させる。すなわち、データ保存部２７４は、投射領域１０Ａに投射された文書画像のデータに、描画データが重畳された画像データを表示画像データとして取得し、記憶部２６０に記憶させる。
【００８５】
上述した第１及び第２実施形態は、本発明の好適な実施の形態である。但し、これに限定されるものではなく、本発明の要旨を逸脱しない範囲内において種々の変形実施が可能である。
例えば、上述した実施形態では、動画像の投射領域１０に基づいて操作検出領域１５を設定したが、動画像の投射領域１０とは独立に、指示体７０の操作を検出する操作検出領域１５を設定してもよい。また、操作検出領域１５を設定せず、撮像部２４１の生成する撮像画像データの全体から指示体７０が検出される場合には、検出される指示体７０の操作に基づいて描画データを生成し、生成した描画データに基づく描画画像をスクリーンＳＣに投射してもよい。
また、指示体７０の操作が検出されるタイミングと、画像供給装置１００が画像信号の供給を停止して動画像が停止するタイミングとのずれが大きい場合、例えば、停止制御部２７５は、画像供給装置１００に制御信号を出力したタイミングを契機として、所定時間間隔で、フレームメモリー２５５に展開された表示画像データをキャプチャー画像として記憶部２６０に記憶させてもよい。記憶部２６０に複数のキャプチャー画像が記憶される場合、制御部２７０は、キャプチャー画像を１つずつスクリーンＳＣに投射させて、ユーザーにスクリーンＳＣに表示させるキャプチャー画像を選択させてもよい。
【００８６】
また、上述した実施形態では、光源が発した光を変調する光変調装置２１２として、ＲＧＢの各色に対応した３枚の透過型の液晶パネルを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。或いは、３枚のデジタルミラーデバイス（ＤＭＤ）を用いた方式、１枚のデジタルミラーデバイスとカラーホイールを組み合わせたＤＭＤ方式等により構成してもよい。光変調装置として１枚のみの液晶パネルまたはＤＭＤを用いる場合には、クロスダイクロイックプリズム等の合成光学系に相当する部材は不要である。また、液晶パネルおよびＤＭＤ以外にも、光源が発した光を変調可能な光変調装置であれば問題なく採用できる。
【００８７】
また、図２に示したプロジェクター２００の各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター２００の他の各部の具体的な細部構成についても、本発明の趣旨を逸脱しない範囲で任意に変更可能である。
【００８８】
また、図３に示すフローチャートの処理単位は、プロジェクター２００の停止制御部２７５の処理を理解容易にするために、主な処理内容に応じて分割したものであり、処理単位の分割の仕方や名称によって本発明が制限されることはない。また、停止制御部２７５の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【００８９】
５…リモコン、１０…投射領域（画像領域）、１５…操作検出領域（検出領域）、３０、３５…ケーブル、５０…メニュー画像、７０…指示体、１００…画像供給装置（外部の装置）、２００、２００Ａ、２００Ｂ…プロジェクター、２１１…光源部、２１２…光変調装置、２１３…投射光学系、２２１…光源駆動部、２２２…光変調装置駆動部、２３１…操作パネル、２３２…リモコン受光部、２３３…入力処理部、２４０…指示体検出部、２４１…撮像部、２４２…位置検出部（操作検出部）、２５１、２５２…Ｉ／Ｆ部、２５３…画像処理部(表示部)、２５５…フレームメモリー、２５７…画像合成部、２６０…記憶部、２７０…制御部、２７１…投射制御部、２７２…操作取得部、２７３…描画処理部、２７４…データ保存部、２７５…停止制御部（制御部）、２８０…内部バス。
【図１】
2018022013.tif 000003
【図２】
2018022013.tif 000004
【図３】
2018022013.tif 000005
【図４】
2018022013.tif 000006
【図５】
2018022013.tif 000007